(57)【特許請求の範囲】
【請求項１】
液晶表示装置の液晶パネルとバックライトの間に配置される光学フィルムを固定するものであって、光学フィルムと、この光学フィルムを囲む枠体と、前記光学フィルムに引張り力を加えるためにフィルムの縁辺に一端を取り付けた弾性部材と、前記枠体側にあって前記弾性部材を導入支持する通路を有し、このにより前記光学フィルムを所定のレベルに保持するための案内冶具とから成る液晶表示装置の光学フィルム固定装置であって、
前記光学フィルムは、重ね合わせて組み合わせた複数のフィルムとし、前記案内冶具は各光学フィルムに同じ支点で一端を取り付けた弾性部材を一括して導入支持する通路と、この通路から所定の段差をもって分岐する支持通路とを有し、これら支持通路に弾性部材を分けて支持することにより各光学フィルムを重ね合わせた所定レベルに保持することができる構造としたことを特徴とする液晶表示装置の光学フィルム固定装置。
【請求項２】
前記弾性部材は光学フィルムの縁辺に一端が取り付けられる金属線とそれに連続する金属バネで形成されている請求項１に記載の液晶表示装置の光学フィルム固定装置。
【発明の詳細な説明】
【０００１】
【発明の属する技術分野】
本発明は、液晶表示装置に用いられる光学フィルムを緊張状態に保持するのに適した液晶表示装置の光学フィルム固定装置に関する。
【０００２】
【従来の技術】
一般に、液晶表示装置は、図９に示すように、液晶パネルＡと、バックライト枠体Ｂとの間に、光拡散板１と共に複数の光学フィルムＦが配置され、前記各光学フィルムの有する特性を利用してパネル表面の明るさを高める構成とされている。図中、２はバックライト枠体Ｂ内に設けられた光源（蛍光ランプ）、３は反射板である。
【０００３】
前記光学フィルムＦには、主としてパネル表面の発光輝度を高める輝度上昇フィルムｆ１，ｆ２および拡散フィルムｆ３などが用いられている。これらの光学フィルムは例えばバックライト枠体の開口部内に重ね合わせ状態に設置されている。
【０００４】
【特許文献１】
特開平９−９０３６１号公報（複数の光学フィルムが使用されている）
【０００５】
【発明が解決しようとする課題】
上記に挙げた光学フィルムは、透過光性能を充分に発揮させるための薄膜状に成形したものが用いられるが、この薄膜状の光学フィルムは、熱や湿度の変化によって伸縮し易く、また歪を発生し易い。
【０００６】
また、近時、液晶装置の大型化に伴い、拡大した大型の光学フィルムが用いられるが、この大型の光学フィルムは反りやうねりが発生し易く、それがためパネル面の明るさにむらが生じる不具合がある。
【０００７】
上記問題を解消する手段として、光学フィルムに薄膜状の補助フィルムを貼り合わせて厚くしたものが用いられている。しかし、このようにして光学フィルムを厚くすると、透過光の減衰率が高くなり、パネル表面の輝度上昇効果の低下を招く。
【０００８】
また、補助フィルムを貼り合わせてなる光学フィルムは、光学フィルム単体に較べ大幅なコスト高となることは避けられない。
【０００９】
本発明は、熱や湿度の変化で伸縮するのを抑制することができ、かつ反りやうねりの発生を抑制すること可能とした液晶表示装置の光学フィルム固定装置を提供することを目的とする。
【００１０】
上記目的を達成するため、本願の請求項１の発明は、液晶表示装置の液晶パネルとバックライトの間に配置される光学フィルムを固定するものであって、光学フィルムと、この光学フィルムを囲む枠体と、前記光学フィルムに引張り力を加えるためにフィルムの縁辺に一端を取り付けた弾性部材と、前記枠体側にあって前記弾性部材を導入支持する通路を有し、このにより前記光学フィルムを所定のレベルに保持するための案内冶具とから成る液晶表示装置の光学フィルム固定装置であって、前記光学フィルムは、重ね合わせて組み合わせた複数のフィルムとし、前記案内冶具は各光学フィルムに同じ支点で一端を取り付けた弾性部材を一括して導入支持する通路と、この通路から所定の段差をもって分岐する支持通路とを有し、これら支持通路に弾性部材を分けて支持することにより各光学フィルムを重ね合わせた所定レベルに保持することができる構造としたことを要旨とする。
【００１４】
【発明の実施の形態】
本発明の好ましい実施の形態としては、図４〜図５に示すように、輝度上昇用フィルムｆ１，ｆ２および拡散フィルムｆ３を組み合わせてなる光学フィルムＦを囲むバックライト枠体Ｂに案内冶具Ｃを設け、各フィルムに引張り力をそれぞれ加えるための弾性部材Ｅ１，Ｅ２，Ｅ３として金属線５にコイルバネ６を連続したものを用い、前記案内冶具Ｃの入口通路７→屈曲延長通路７ａにフィルムｆ３側の金属線５を入れ、次に入口通路７→段差付き分岐通路７ｂにフィルムｆ２側の金属線５を入れ、最後に入口通路７→段差付き分岐通路７ｃにフィルムｆ１側の金属線５を入れ、各金属線に接続しているコイルバネ６をバックライト枠体Ｂにある突起８に取り付ける。
【００１５】
上記構成によれば、案内冶具Ｃを用いることにより、各フィルムの伸縮率に差があっても、各フィルムを個別に引張ることが可能となる。
即ち、各フィルムの伸縮度合に合わせて、各弾性部材により適正な引張り力を加え、各フィルムを適正に緊張状態に保持できる。
また、各フィルムを同じ支点で引張ることで、重ね合わせて組み合わせたフィルム自体の相対位置およびレベル位置を変えずに保持できる。
【００１６】
【実施例】
図１〜図７に、本発明の一実施例を示す。
この実施例では、図９に示すように、液晶パネルＡとバックライト枠体Ｂの間に、輝度上昇用フィルムｆ１ ，ｆ２および拡散フィルムｆ３を重ね合わせて組み合わせた光学フィルムＦを用いた例を示している。
【００１７】
上記各フィルムは、図１〜図３に示すように、フィルムの角隅部を含む縁辺部位に後記する弾性部材の一端を取り付ける止め金具４を予め固定したものが用いられている。４ａ，４ｂは止め金具を形成する挟持板、４ｃは止めピン、４ｄは弾性部材の取り付け孔である。この止め金具４はフィルムに弾性部材を取り付ける支点となるものである。
【００１８】
前記止め金具４は、フィルムの４つの角隅部に加え、フィルムの各縁辺の中点４個所、合計８個所に設け、各弾性部材による引張り力をフィルム全面に均一にかけるのが好ましい。
【００１９】
前記光学フィルムＦを囲むバックライト枠体Ｂの開口部には、前記止め金具４と対向する部位に案内冶具Ｃが設けられている。
上記案内冶具Ｃは、各フィルムｆ１〜ｆ３に設けた止め金具４に連結される弾性部材Ｅ１，Ｅ２，Ｅ３を導入支持する上面開放形の通路を有している。
前記各弾性部材は、金属線５と、これに連続する金属コイルバネ６とから成り、金属線５の先端を前記止め金具４の孔４ａに挿入して固定する。前記弾性部材を形成するコイルバネは、必要に応じ板バネまたは棒バネなど任意に選択使用することができる。
【００２０】
前記案内冶具Ｃの通路は、フィルムｆ１〜ｆ３にそれぞれ連結する３本の金属線５を一括して導入支持し得る入口通路７と、この入口通路と同じレベルで屈曲延長する通路７ａと、前記通路７ａより高い段差レベルをもって分岐延長する通路７ｂと、この通路の段差よりさらに高い段差レベルをもって通路７ａから分岐延長する通路７ｃとで形成されている。
【００２１】
前記フィルムｆ１〜ｆ３を案内冶具Ｃで支持するには、図４〜図７に示すように、前記入口通路７→屈曲延長通路７ａに最下位のフィルムｆ３に連結している弾性部材Ｅ３の金属線５を入れこみ、次に入口通路７→段差付き分岐通路７ｂに中位のフィルムｆ２に連結している弾性部材Ｅ２の金属線５を入れこみ、最後に入口通路７→段差付き分岐通路７ｃにフィルムｆ１に連結している弾性部材Ｅ１の金属線５を入れこみ、そのあと各金属線５に連続しているコイルバネ６をバックライト枠体Ｂに設けてある突起８に取り付ける。コイルバネ６は案内冶具Ｃに取り付けてもよい。
【００２２】
この場合、金属線を通路出口から折り曲げて外に導く構造では、その折り曲げ部での接触摩擦力により、コイルバネ６の引張り力が弱められるおそれがあるので、通路出口にＲを付しておくのが好ましい。前記段差付き分岐通路７ｂ，７ｃの角部にも前記と同様にＲを付しておくのがよい。なお、通路出口の場合、そこに小型滑車を設け、金属線を支持案内させることもできる。
【００２３】
上記のようにしてフィルムｆ１〜ｆ３にそれぞれ取り付けてある弾性部材（Ｅ１〜Ｅ３）を案内冶具Ｃによって保持する場合、３本の金属線は入口通路７において同じ支点を有する３枚のフィルムの縁辺と直交する角度に規制される。そして前記入口通路７のレベルをもつ屈曲通路７ａと、これと分岐する段差付き分岐通路７ｂ，７ｃとにより、３枚のフィルムｆ１〜ｆ３はその重ね合わせレベル位置に保持される。
【００２４】
図８は、フィルムの角隅部に対向する枠体に設けられる案内冶具Ｃを示している。この案内冶具Ｃも前記に述べたフィルムの縁辺と対向する案内冶具Ｃと実質的に同じ構造を有するので、弾性部材を用いた各フィルムの保持機能の説明は省略する。
【００２５】
前記実施例は、光学フィルムを囲む枠体にバックライト枠体を用いてなるが、単独の枠体に前記案内冶具を設け、光学フィルムを保持するユニットとして構成することができる。
【００２６】
【発明の効果】
以上詳述したように、本発明によれば、下記の効果が得られる。
（１）光学フィルムに弾性部材による引張り力を加えて緊張状態に保持するので、光学フィルムが熱や湿度の変化で伸縮するのを抑制することができる。
（２）また、同時に大型の光学フィルムの反りやうねりの発生の抑制に顕著な効果が得られる。
（３）光学フィルムの引張り力を加える弾性部材を案内冶具を介して保持することにより、各光学フィルムの伸縮率に差があっても、各フィルムを個別に引張ることが可能となる。
（４）また、前記案内冶具の使用によれば、各フィルムを同じ支点で引張ることで、重ね合わせて組み合わせたフィルム自体の相対的位置およびレベルの位置を変えずに安定よく保持できる。
（５）さらに前記案内冶具の使用によれば、重ね合わせて組み合わせた複数の光学フィルムをユニットとして構成することができる。
【図面の簡単な説明】
【図１】  本発明の一実施例を示すもので、光学フィルムを固定した状態の平面図である。
【図２】  光学フィルムの一部の側面図である。
【図３】  光学フィルムの角隅部分の平面図である。
【図４】  複数の光学フィルムの固定状態を示す要部の斜視図である。
【図５】  図４の平面図である。
【図６】  案内冶具の平面図である。
【図７】  案内冶具の平面図である。
【図８】  フィルムの角隅部に用いる案内冶具の平面図である。
【図９】  従来の液晶表示装置の断面構成図である。
【符号の説明】
Ａ  液晶パネル
Ｂ  ブラックライト枠体
Ｆ  重ね合わせて組み合わせた光学フィルム
ｆ１ ，ｆ２，ｆ３  光学フィルム
２  光源
３  反射板
４ａ，４ｂ  狭持板
４ｃ  止めピン
４ｄ  取り付け用孔
Ｅ１ ，Ｅ２，Ｅ３  弾性部材
５  金属線
６  コイルバネ
Ｃ  案内冶具
７  入口通路
７ａ  入口通路に延長する通路
７ｂ  段差レベルを有する分岐通路
７ｃ  段差レベルを有する分岐通路
８  突起
【図１】
0003719710.tif 000002
【図２】
0003719710.tif 000003
【図３】
0003719710.tif 000004
【図４】
0003719710.tif 000005
【図５】
0003719710.tif 000006
【図６】
0003719710.tif 000007
【図７】
0003719710.tif 000008
【図８】
0003719710.tif 000009
【図９】
0003719710.tif 000010